(57)【要約】【課題】一心双方向光波長多重伝送システムにおいて、伝送路中の反射点による光波長多重信号の廻りこみや、ラマン増幅における励起光源の廻りこみによる様々な影響を抑え、安定した伝送品質を得られる方式を提案する。【解決手段】上り波長多重信号１ａと下り波長多重信号１ｂの波長帯域を分離し、その波長帯域のみを透過する光フィルタ８０ａ、光フィルタ８０ｂ、光フィルタ８１ａ、光フィルタ８２ｂを方向性結合器５０ａ、方向性結合器５０ｂ、方向性結合器５１、方向性結合器５２前に追加することで、反射光の影響を抑えることができ、入力レベルを光断検出器９０ａ、光断検出器９０ｂ、光断検出器９１、光断検出器９２で、波長数によらず一括してモニタすることができる。【選択図】　　　　図１
2004007146.tif 000002
【特許請求の範囲】
【請求項１】
合波された第１の光信号と第２の光信号とを入力し、入力した第１の光信号と第２の光信号とから所定の方向に流れる光信号を分波して出力する分波器と、
上記分波器が出力した光信号から第１の光信号と第２の光信号のいずれか一方を透過し、第１の光信号と第２の光信号のいずれか他方を遮断する光フィルタとを備えることを特徴とする伝送装置。
【請求項２】
上記伝送装置は、上記分波器として第１の分波器と第２の分波器とを備え、
上記伝送装置は、上記光フィルタとして第１の光フィルタと第２の光フィルタとを備え、
上記第１の光フィルタと第２の光フィルタとは、上記第１の分波器と第２の分波器との間に設けられ、
上記第１の分波器は、合波された第１の光信号と第２の光信号とから第１の方向に流れる光信号を分波して第１の光フィルタに出力し、
上記第１の光フィルタは、入力した光信号から第１の光信号を透過し、第２の光信号を遮断することによって第１の光信号を上記第２の分波器に出力し、
上記第２の分波器は、上記第１の光フィルタによって出力された第１の光信号を送信するとともに、合波された第１の光信号と第２の光信号とから第１の方向と反対の方向に流れる光信号を分波し上記第２の光フィルタに出力し、
上記第２の光フィルタは、入力した光信号から第２の光信号を透過し、第１の光信号を遮断することによって第２の光信号を上記第１の分波器に出力し、
上記第１の分波器は、上記第２の光フィルタによって出力された第２の光信号を送信することを特徴とする請求項１に記載された伝送装置。
【請求項３】
上記伝送装置は、さらに、
上記光フィルタによって透過された第１の光信号と第２の光信号のいずれか一方の光信号をモニタして光断検出を行う光断検出器を備えることを特徴とする請求項１に記載された伝送装置。
【請求項４】
上記分波器は、合波された第１の光信号と第２の光信号と制御信号とを入力し、入力した第１の光信号と第２の光信号と制御信号とから所定の方向に流れる光信号と制御信号とを分波して出力し、
上記伝送装置は、さらに、
上記分波器と上記光フィルタの間に設けられ、上記分波器が出力した光信号と制御信号とから光信号を分波し、分波した光信号を上記光フィルタに出力する制御信号分波器を備えることを特徴とする請求項１に記載された伝送装置。
【請求項５】
上記伝送装置は、さらに、
上記光フィルタによって透過された第１の光信号と第２の光信号のいずれか一方の光信号を増幅する光増幅器を備えることを特徴とする請求項１に記載された伝送装置。
【請求項６】
上記分波器は、方向性結合器または光フィルタまたはカプラのいずれかであることを特徴とする請求項１に記載された伝送装置。
【請求項７】
上記伝送装置は、さらに、
上記第１の光フィルタと上記第２の分波器との間に設けられ、上記第１の光フィルタが透過した第１の光信号を入力し、入力した第１の光信号の内、所定の波長を持つ光信号を分波して第２の分波器に出力する第１の光アド・ドロップモジュールと、
上記第２の光フィルタと上記第１の分波器との間に設けられ、上記第２の光フィルタが透過した第２の光信号を入力し、入力した第２の光信号の内、上記第１の光アド・ドロップモジュールによって分波された所定の波長を持つ光信号と異なる他の波長を持つ光信号を分波して第１の分派器に出力する第２の光アド・ドロップモジュールとを備えることを特徴とする請求項２に記載された伝送装置。
【請求項８】
上記伝送装置は、さらに、
励起光信号を発生させ、発生させた励起光信号を増幅するラマン増幅器と、
上記ラマン増幅器が増幅した励起光信号を第１の光信号と第２の光信号とに合波する合波器とを備え、
上記分波器は、上記合波器によって合波された第１の光信号と第２の光信号と励起光信号とから所定の方向に流れる光信号と励起光信号とを分波して光フィルタに出力し、
上記光フィルタは、入力した光信号と励起光信号とから第１の光信号と第２の光信号のいずれか一方を透過し、第１の光信号と第２の光信号のいずれか他方と励起光信号とを遮断することを特徴とする請求項１に記載された伝送装置。
【請求項９】
複数の伝送装置を備える伝送システムであって、
上記複数の伝送装置の各伝送装置は、第１の分波器と第２の分波器と第１の光フィルタと第２の光フィルタとを備え、
上記第１の光フィルタと第２の光フィルタは、上記第１の分波器と第２の分波器との間に設けられ、
上記第１の分波器は、上記複数の伝送装置の他の伝送装置によって合波された第１の光信号と第２の光信号とを入力し、入力した第１の光信号と第２の光信号とから第１の方向に流れる光信号を分波して上記第１の光フィルタに出力し、
上記第１の光フィルタは、入力した光信号から第１の光信号を透過し、第２の光信号を遮断することによって第１の光信号を上記第２の分波器に出力し、
上記第２の分波器は、上記第１の光フィルタによって出力された第１の光信号を上記複数の伝送装置の他の伝送装置に送信するとともに、上記複数の伝送装置の他の伝送装置によって合波された第１の光信号と第２の光信号とを入力し、入力した第１の光信号と第２の光信号とから上記第１の方向と反対の方向に流れる光信号を分波して上記第２の光フィルタに出力し、
上記第２の光フィルタは、入力した光信号から第２の光信号を透過し、第１の光信号を遮断することによって第２の光信号を上記第１の分波器に出力し、
上記第１の分波器は、上記第２の光フィルタによって出力された第２の光信号を上記複数の伝送装置の他の伝送装置に送信することを特徴とする伝送システム。
【請求項１０】
合波された第１の光信号と第２の光信号とを入力し、入力した第１の光信号と第２の光信号とから所定の方向に流れる光信号を分波して出力し、
上記出力した光信号から第１の光信号と第２の光信号のいずれか一方を透過し、第１の光信号と第２の光信号のいずれか他方を遮断することを特徴とする伝送方法。
【請求項１１】
合波された第１の光信号と第２の光信号とを入力し、入力した第１の光信号と第２の光信号とから所定の方向に流れる光信号を分波して出力する処理と、
上記出力した光信号から第１の光信号と第２の光信号のいずれか一方を透過し、第１の光信号と第２の光信号のいずれか他方を遮断する処理とをコンピュータに実行させることを特徴とする伝送プログラム。
【請求項１２】
合波された第１の光信号と第２の光信号とを入力し、入力した第１の光信号と第２の光信号とから所定の方向に流れる光信号を分波して出力する処理と、
上記出力した光信号から第１の光信号と第２の光信号のいずれか一方を透過し、第１の光信号と第２の光信号のいずれか他方を遮断する処理とをコンピュータに実行させるための伝送プログラムを記録したコンピュータ読み取り可能な記録媒体。
【発明の詳細な説明】
【０００１】
【発明の属する技術分野】
この発明は、安定した一心双方向光波長多重伝送を提供することを目的とする。
【０００２】
【従来の技術】
従来の一心双方向光波長多重伝送システムについて説明する。
図１１は、一般的な一心双方向光波長多重伝送システムのブロック図である。
１ａは上り波長多重信号、１ｂは下り波長多重信号である。
１０ａ、１０ｂは波長多重端局、２０ａは中継局である。中継局２０ａはなくてもよいし、複数局設置されていてもよい。
３０、３１は、波長多重端局１０ａと波長多重端局１０ｂと中継局２０ａをつなぐ一心光の伝送路である。
４０ａ、４０ｂは、波長多重端局１０ａと波長多重端局１０ｂとに設置された、上り波長多重信号１ａを増幅する光増幅器である。
４１ａ、４１ｂは、波長多重端局１０ａと波長多重端局１０ｂとに設置された、下り波長多重信号１ｂを増幅する光増幅器である。
同様に、４２、４３は中継局２０ａに設置された光増幅器で、それぞれ上り波長多重信号１ａと下り波長多重信号１ｂを光増幅する。光増幅器４０ａ、光増幅器４０ｂ、光増幅器４１ａ、光増幅器４１ｂは、システムに応じて設置されなくてもよい。
５０ａ、５０ｂは、波長多重端局１０ａと波長多重端局１０ｂとに設置された、上り波長多重信号１ａと下り波長多重信号１ｂを一本の光ファイバに結合するための方向性結合器である。
同様に、５１、５２は中継局２０ａに設置された方向性結合器である。
６０ａ、６０ｂは光送信器であり、６１ａ、６１ｂは光受信器であって、それぞれ複数台あってもよい。
７０ａ、７０ｂは合波器であって、複数台ある光送信器６０ａ及び光送信器６０ｂからの各波長を合波して波長多重信号にする。
７１ａ、７１ｂは分波器であって、波長多重信号を各波長に分波して光受信器６１ａ及び光受信器６１ｂへ信号を送信する。
【０００３】
次に動作について説明する。
波長多重端局１０ａでは、光送信器６０ａから出力される光信号を合波器７０ａによって合波する。
合波した上り波長多重信号１ａは、上りの波長多重信号光として、光増幅器４０ａによって増幅されたのち、方向性結合器５０ａによって伝送路３０へ送信され、中継局２０ａに入力される。
入力された上り波長多重信号１ａは、中継局２０ａの方向性結合器５１によって光増幅器４２に送信され、光増幅されたのち、同じく方向性結合器５２によって伝送路３１へ送信され、波長多重端局１０ｂに入力される。
波長多重端局１０ｂでは、方向性結合器５０ｂによって光増幅器４０ｂへと送信され、光増幅器４０ｂで増幅されたのち、分波器７１ｂによって波長分離され、光受信器６１ｂで受信される。
下り波長多重信号１ｂも、上り波長多重信号１ａと同様の手順で、波長多重端局１０ｂから波長多重端局１０ａに送信される。
【０００４】
このような一心双方向光波長多重伝送システムにおいて、伝送路もしくはコネクタ端の反射における信号の廻りこみの影響のひとつには、光断検出が行えないという問題があった。すなわち、方向性結合器の近端で伝送路が切断されるなどにより反射端が存在した場合、そこで反射した波長多重信号が伝送方向と対向する対向側へ漏れこむため、伝送路が切断しているにも関わらず信号が入力されてしまうことにより、光断検出が行えなかった。
例えば、伝送路３１で断線がおこった場合には、断線部におけるフレネル反射によって、光増幅器４３には下り波長多重信号１ｂではなく上り波長多重信号１ａが、光増幅器４０ｂには上り波長多重信号１ａではなく下り波長多重信号１ｂが反射してきてしまい、光断信号の警報を発出することができないという問題が生じていた。
【０００５】
この問題に対する解決策の一例として、特開平２−１２７８２９号公報で提案された一心双方向光波長多重伝送システムを図１２に示す。
図１２において、１ａは上り波長多重信号で、１ｂは下り波長多重信号である。
光送信回路６０ｃは、光断検出信号（ｆ１）重畳回路７２によって送信信号に周波数ｆ１の光断検出信号を重畳し、上り波長多重信号１ａとして信号を送信する。
光送信回路６０ｄは、光断検出信号（ｆ２）重畳回路７５によって送信信号に周波数ｆ２の光断検出信号を重畳し、下り波長多重信号１ｂとして信号を送信する。
光受信回路６１ｄは、上り波長多重信号１ａを受信し、光断検出信号（ｆ１）検出回路７４は光受信回路６１ｄが受信した上り波長多重信号１ａ中の周波数ｆ１の有無を検出する。
光受信回路６１ｃは、下り波長多重信号１ｂを受信し、光断検出信号（ｆ２）検出回路７３は光受信回路６１ｃが受信した下り波長多重信号１ｂ中の周波数ｆ２の有無を検出する。
なお、３０は伝送路、５０ｃと５０ｄは方向性結合器である。
【０００６】
このように、伝送路もしくはコネクタ端の反射における信号の廻りこみに関する問題の解決方法として、従来は、図１２のような手法が考えられてきた。すなわち、図１２の手法では、光断検出信号（ｆ１）重畳回路７２と光断検出信号（ｆ２）重畳回路７５により、上り波長多重信号１ａに固有の周波数ｆ１と下り波長多重信号１ｂに固有の周波数ｆ２とをそれぞれ重畳し、光受信回路６１ｄと光受信回路６１ｃにおいて、周波数ｆ１と周波数ｆ２とを光断検出信号（ｆ２）検出回路７４と光断検出信号（ｆ１）検出回路７３をモニタすることによって、光断信号の検出を行っていた。
この手法によって、上記のような反射による反射光があった場合でも、受信した信号の周波数が違っていることにより、光断検出を行うことができた。
【０００７】
【発明が解決しようとする課題】
このように、上記の構成を持つ従来の一心双方向光波長多重伝送システムでは、反射点や反射端による反射光の影響で、光断検出をすることができないという問題があった。
そのため、図１２で示す例のように、上り波長多重信号１ａと下り波長多重信号１ｂで、それぞれに固有の周波数（ｆ１、ｆ２）を重畳し、受信側で各々の周波数を検知することにより光断検出を行うことで問題を回避していた。
【０００８】
ところが、実際には、光断検出の問題の他にも、反射光による問題が存在する。例えば、伝送路に反射点がある場合には、反射光の影響は常時発生しているため、常に自局が出した信号が自局へ反射光として戻っている。この反射光は、雑音として伝送品質を劣化させる要因になり、図１２に示すような従来の手法では解決することができなかった。
また、波長多重数が多くなると、光増幅器の出力も波長多重数倍だけ大きくなる。そのため、相対的に反射光レベルも大きくなる。例えば、伝送路３１における反射点が中継局２０ａの近傍にあると、反射光の伝送路損失の影響がほとんどないことから、反射光の中継局２０ａにおける影響が顕著になり、光増幅器４３への入力が光増幅器の飽和レベルを超える場合がある。その場合には、光増幅器の利得偏差が大きくなり、Ｓ／Ｎ（ＳＩＧＮＡＬ／ＮＯＩＳＥ）劣化などの影響がおこる。これらの悪影響も従来の手法では解決することができなかった。
また、反射点による反射光が、例えば伝送路３０と伝送路３１の双方に存在している場合には、上り波長多重信号１ａが伝送路３１での反射により方向性結合器５２を通って光増幅器４３に入力され、光増幅器４３で光増幅された反射光の上り波長多重信号１ａが、今度は伝送路３０での反射による戻りで、方向性結合器５１により光増幅器４２へ入力され、光増幅器４２で光増幅されたのち伝送路３１へ送信するという、光増幅器を介した多重反射を起こす。この現象は、伝送品質の劣化に大きく影響するが、図１２で示すような従来の手法では解決することができなかった。
また、図１２に示す従来の手法では光断検出重畳回路や、光断検出信号検出回路が必要であり、波長多重通信のように送信器や受信器が複数ある場合には、それ数だけ、光断検出重畳回路や光断検出信号検出回路が必要になるため、コスト高になったり、回路規模が大きくなってしまうという問題も生じていた。
【０００９】
次に、ラマン増幅器を一心双方向光波長多重伝送システムに導入する場合を説明する。
図１３は、ラマン増幅器を用いた一心双方向光波長多重伝送システムの構成図である。
この場合、図１１で示した光増幅器４０ａ、光増幅器４０ｂ、光増幅器４１ａ、光増幅器４１ｂは使用しない。
ラマン増幅器によるラマン増幅を行う場合には、高出力の１．４８μｍ帯のラマン増幅用励起光源を持つラマン増幅器４４ａが、１．４８μｍ帯励起光１ｆを発生させ、高出力の１．４８μｍ帯のラマン増幅用励起光源を持つラマン増幅器４４ｂが、１．４８μｍ帯励起光１ｅを発生させ、発生させた励起光１ｆと励起光１ｅとを伝送路３０へ入力する必要がある。８７ａ、８７ｂは、ラマン増幅用の励起光１ｅ及び励起光１ｆと各々の光波長多重信号を合波するＷＤＭカプラである。
この場合においても、伝送路の反射による影響をうけ、方向性結合器５０ａと方向性結合器５０ｂとによって、１．４８μｍ帯励起光１ｅ又は１．４８μｍ帯励起光１ｆの反射光が対向側へ漏れこんでくる。例えば、伝送路３０に反射端があった場合は、方向性結合器５０ｂによって、励起光１ｅが対向側へ漏れこみ、光受信器６１ｂで受信してしまう。
このことは、雑音として伝送品質を劣化させる要因となっていた。
【００１０】
以上のように、従来の一心双方向光波長多重通信システムに様々な問題が存在し、上記に示す従来の手法では、その全てを解決することができなかった。
【００１１】
この発明は、簡単な構成により、一心双方向光波長多重伝送特有の、伝送路中もしくはコネクタ端の反射における反射光の周りこみがシステムに与える影響を抑え、伝送品質の安定した一心双方向光波長多重伝送を提供することを目的とする。
【００１２】
【課題を解決するための手段】
この発明に係る伝送装置は、合波された第１の光信号と第２の光信号とを入力し、入力した第１の光信号と第２の光信号とから所定の方向に流れる光信号を分波して出力する分波器と、
上記分波器が出力した光信号から第１の光信号と第２の光信号のいずれか一方を透過し、第１の光信号と第２の光信号のいずれか他方を遮断する光フィルタとを備えることを特徴とする。
【００１３】
上記伝送装置は、上記分波器として第１の分波器と第２の分波器とを備え、
上記伝送装置は、上記光フィルタとして第１の光フィルタと第２の光フィルタとを備え、
上記第１の光フィルタと第２の光フィルタとは、上記第１の分波器と第２の分波器との間に設けられ、
上記第１の分波器は、合波された第１の光信号と第２の光信号とから第１の方向に流れる光信号を分波して第１の光フィルタに出力し、
上記第１の光フィルタは、入力した光信号から第１の光信号を透過し、第２の光信号を遮断することによって第１の光信号を上記第２の分波器に出力し、
上記第２の分波器は、上記第１の光フィルタによって出力された第１の光信号を送信するとともに、合波された第１の光信号と第２の光信号とから第１の方向と反対の方向に流れる光信号を分波し上記第２の光フィルタに出力し、
上記第２の光フィルタは、入力した光信号から第２の光信号を透過し、第１の光信号を遮断することによって第２の光信号を上記第１の分波器に出力し、
上記第１の分波器は、上記第２の光フィルタによって出力された第２の光信号を送信することを特徴とする。
【００１４】
上記伝送装置は、さらに、
上記光フィルタによって透過された第１の光信号と第２の光信号のいずれか一方の光信号をモニタして光断検出を行う光断検出器を備えることを特徴とする。
【００１５】
上記分波器は、合波された第１の光信号と第２の光信号と制御信号とを入力し、入力した第１の光信号と第２の光信号と制御信号とから所定の方向に流れる光信号と制御信号とを分波して出力し、
上記伝送装置は、さらに、
上記分波器と上記光フィルタの間に設けられ、上記分波器が出力した光信号と制御信号とから光信号を分波し、分波した光信号を上記光フィルタに出力する制御信号分波器を備えることを特徴とする。
【００１６】
上記伝送装置は、さらに、
上記光フィルタによって透過された第１の光信号と第２の光信号のいずれか一方の光信号を増幅する光増幅器を備えることを特徴とする。
【００１７】
上記分波器は、方向性結合器または光フィルタまたはカプラのいずれかであることを特徴とする。
【００１８】
上記伝送装置は、さらに、
上記第１の光フィルタと上記第２の分波器との間に設けられ、上記第１の光フィルタが透過した第１の光信号を入力し、入力した第１の光信号の内、所定の波長を持つ光信号を分波して第２の分波器に出力する第１の光アド・ドロップモジュールと、
上記第２の光フィルタと上記第１の分波器との間に設けられ、上記第２の光フィルタが透過した第２の光信号を入力し、入力した第２の光信号の内、上記第１の光アド・ドロップモジュールによって分波された所定の波長を持つ光信号と異なる他の波長を持つ光信号を分波して第１の分派器に出力する第２の光アド・ドロップモジュールとを備えることを特徴とする。
【００１９】
上記伝送装置は、さらに、
励起光信号を発生させ、発生させた励起光信号を増幅するラマン増幅器と、
上記ラマン増幅器が増幅した励起光信号を第１の光信号と第２の光信号とに合波する合波器とを備え、
上記分波器は、上記合波器によって合波された第１の光信号と第２の光信号と励起光信号とから所定の方向に流れる光信号と励起光信号とを分波して光フィルタに出力し、
上記光フィルタは、入力した光信号と励起光信号とから第１の光信号と第２の光信号のいずれか一方を透過し、第１の光信号と第２の光信号のいずれか他方と励起光信号とを遮断することを特徴とする。
【００２０】
この発明に係る伝送システムは、複数の伝送装置を備える伝送システムであって、
上記複数の伝送装置の各伝送装置は、第１の分波器と第２の分波器と第１の光フィルタと第２の光フィルタとを備え、
上記第１の光フィルタと第２の光フィルタは、上記第１の分波器と第２の分波器との間に設けられ、
上記第１の分波器は、上記複数の伝送装置の他の伝送装置によって合波された第１の光信号と第２の光信号とを入力し、入力した第１の光信号と第２の光信号とから第１の方向に流れる光信号を分波して上記第１の光フィルタに出力し、
上記第１の光フィルタは、入力した光信号から第１の光信号を透過し、第２の光信号を遮断することによって第１の光信号を上記第２の分波器に出力し、
上記第２の分波器は、上記第１の光フィルタによって出力された第１の光信号を上記複数の伝送装置の他の伝送装置に送信するとともに、上記複数の伝送装置の他の伝送装置によって合波された第１の光信号と第２の光信号とを入力し、入力した第１の光信号と第２の光信号とから上記第１の方向と反対の方向に流れる光信号を分波して上記第２の光フィルタに出力し、
上記第２の光フィルタは、入力した光信号から第２の光信号を透過し、第１の光信号を遮断することによって第２の光信号を上記第１の分波器に出力し、
上記第１の分波器は、上記第２の光フィルタによって出力された第２の光信号を上記複数の伝送装置の他の伝送装置に送信することを特徴とする。
【００２１】
この発明に係る伝送方法は、合波された第１の光信号と第２の光信号とを入力し、入力した第１の光信号と第２の光信号とから所定の方向に流れる光信号を分波して出力し、
上記出力した光信号から第１の光信号と第２の光信号のいずれか一方を透過し、第１の光信号と第２の光信号のいずれか他方を遮断することを特徴とする。
【００２２】
この発明に係る伝送プログラムは、合波された第１の光信号と第２の光信号とを入力し、入力した第１の光信号と第２の光信号とから所定の方向に流れる光信号を分波して出力する処理と、
上記出力した光信号から第１の光信号と第２の光信号のいずれか一方を透過し、第１の光信号と第２の光信号のいずれか他方を遮断する処理とをコンピュータに実行させることを特徴とする。
【００２３】
この発明に係る伝送プログラムを記録したコンピュータ読み取り可能な記録媒体は、合波された第１の光信号と第２の光信号とを入力し、入力した第１の光信号と第２の光信号とから所定の方向に流れる光信号を分波して出力する処理と、
上記出力した光信号から第１の光信号と第２の光信号のいずれか一方を透過し、第１の光信号と第２の光信号のいずれか他方を遮断する処理とをコンピュータに実行させるための伝送プログラムを記録したコンピュータ読み取り可能な記録媒体であることを特徴とする。
【００２４】
【発明の実施の形態】
実施の形態１．
実施の形態１を図１に従って説明する。
図１は、実施の形態１による一心双方向光波長多重伝送システムを示す構成図である。
図１において、１０ａ、１０ｂは波長多重端局、２０ａは中継局であり、波長多重端局１０ａ及び波長多重端局１０ｂ及び中継局２０ａは、光信号を伝送する伝送装置の一例である。
８０ａ、８０ｂ、８２、８３は上り波長多重信号１ａの帯域を透過し、下り波長多重信号１ｂの帯域をカットする光フィルタである。
８１ａ、８１ｂ、８４、８５は、下り波長多重信号１ｂの帯域を透過し、上り波長多重信号１ａをカットする光フィルタである。
上り波長多重信号１ａと下り波長多重信号１ｂの波長帯域としては、例えば、１．５μｍ帯におけるＣ帯とＬ帯や、Ｃ帯におけるＢＬＵＥ帯とＲＥＤ帯、Ｌ帯におけるＢＬＵＥ帯とＲＥＤ帯などが挙げられる。
上り波長多重信号１ａと下り波長多重信号１ｂは、下り波長多重信号１ｂの帯域をカットする光フィルタ８０ａ、光フィルタ８０ｂ、光フィルタ８２、光フィルタ８３と、上り波長多重信号１ａの帯域をカットする光フィルタ８１ａ、光フィルタ８１ｂ、光フィルタ８４、光フィルタ８５とを用いて、お互いの帯域をカットすることにより分離される。上り波長多重信号１ａと下り波長多重信号１ｂの波長帯域は、例えば１７ｄＢ以上のアイソレーションが得られるような帯域である。
９０ａ、９０ｂ、９１、９２は、それぞれ方向性結合器５０ａ、方向性結合器５０ｂ、方向性結合器５１、方向性結合器５２から各々の光増幅器４１ａ、光増幅器４０ｂ、光増幅器４２、光増幅器４３へ入力される光レベルをモニタして、光断検出をおこなう光断検出器である。
その他の構成は図９に示した従来例と同様のものである。
また、中継局２０ａは、波長多重端局１０ａと波長多重端局１０ｂ間をつなぐ伝送路上に複数配置されてもよいし、なくてもよい。
【００２５】
次に動作について説明する。
動作は従来例の場合と原則的には同様である。
しかし、特定の波長帯域しか透過しない光フィルタ８０ａ、光フィルタ８０ｂ、光フィルタ８１ａ、光フィルタ８１ｂ、光フィルタ８２〜光フィルタ８５を図１に示す位置に配置していることにより、例えば、伝送路３０に反射点があった場合、反射光による雑音の影響を抑えることができる。すなわち、伝送路３０に反射点があった場合には、上り波長多重信号１ａが反射によって波長多重端局１０ａに戻り、方向性結合器５０ａによって光増幅器４１ａへと入力される。この時、光フィルタ８１ａにより上り波長多重信号１ａの帯域がカットされ、下り波長多重信号１ｂの帯域のみが透過される。従って、上り波長多重信号１ａの反射光は光増幅器４１ａに入力されることはない。また、下り波長多重信号１ｂは、光フィルタ８１ａで透過されるために、光増幅器４１ａに入力され、分波器７１ａで波長分離されたのち光受信器６１ａで受信することができる。
【００２６】
また、伝送路３０中で伝送路が破断したり、もしくはコネクタが外れた場合には、端面からの反射がおこり、下り波長多重信号１ｂが切れ、光増幅器４１ａへの送信が停止する場合が考えられる。
この場合、従来なら光断検出ができなかったが、本実施の形態における波長多重端局１０ａでは、上り波長多重信号１ａの反射光が、方向性結合器５０ａによって光増幅器４１ａへと伝送される時に、光増幅器４１ａと方向性結合器５０ａの間に配置した光フィルタ８１ａが上り波長多重信号１ａをカットするために、光断検出器９０ａでの光断検出が可能になる。
【００２７】
以上、一心の光ファイバの伝送路３０と、対向する波長帯域が異なる波長多重信号光と、対向する波長多重信号光を光ファイバに結合するための方向性結合器（５０ａ等）と、伝送する方向の波長多重信号光の帯域を透過し、対向する波長多重信号光の帯域はカットする光フィルタ（８０ａ等）とを備えた一心双方向光波長多重伝送システムについて説明した。
【００２８】
このように、本実施の形態の一心双方向光波長多重伝送システムでは、一心双方向光波長多重伝送システムに特有の、伝送路中の反射端、もしくはコネクタ端における反射光による雑音等、信号の反射がシステムに与える様々な悪影響を抑え、安定した一心双方向光波長多重伝送を提供することが可能である。
すなわち、上り波長多重信号１ａと下り波長多重信号１ｂの波長帯域を分離し、その波長帯域のみを透過する光フィルタ８０ａ、光フィルタ８０ｂ、光フィルタ８１ａ、光フィルタ８１ｂ、光フィルタ８２から光フィルタ８５を方向性結合器５０ａ、方向性結合器５０ｂ、方向性結合器５１、方向性結合器５２に追加することで、反射光の影響を抑えることができる。よって、入力レベルを光断検出器９０ａ、光断検出器９０ｂ、光断検出器９１、光断検出器９２で、波長数によらず一括してモニタすることができる。
【００２９】
実施の形態２．
図２は、実施の形態２による一心双方向光波長多重伝送システムの構成を示す図であり、制御信号である監視制御光を主信号と波長多重して伝送していることを特徴とする。上り監視制御信号１ｃは、ＷＤＭカプラ９３ａで上り波長多重信号１ａと合波され、次局へ伝送される。上り監視制御信号１ｃは、光フィルタ８０ａでは透過され、光フィルタ８１ａではカットされる波長帯域の波長である。同様に、下り監視制御信号１ｄは、ＷＤＭカプラ９４ｂで下り波長多重信号１ｂと合波され、次局へ伝送される。下り監視制御信号１ｄは、光フィルタ８１ｂでは透過され、光フィルタ８０ｂではカットされる波長帯域の波長である。また、主信号と合波された監視制御信号は、次局のＷＤＭカプラ９５、ＷＤＭカプラ９３ｂ、ＷＤＭカプラ９８、ＷＤＭカプラ９４ａで主信号と分波される。その他の構成については、実施の形態１と同様である。
なお、上記ＷＤＭカプラ９５、ＷＤＭカプラ９３ｂ、ＷＤＭカプラ９８、ＷＤＭカプラ９４ａは、制御信号分波器の一例である。また、監視制御信号１ｃ及び監視制御信号１ｄは、制御信号の一例である。
【００３０】
この実施の形態２は、波長多重端局１０ａ及び波長多重端局１０ｂと中継局２０ａの情報を上位にあげたり、逆に上位から各局への制御などを行うための監視制御光を伝送した場合について示している。伝送路中の反射点による影響は、監視制御光においても主信号と同様であり、実施の形態１の場合と同様の効果を挙げることができる。
【００３１】
実施の形態３．
図３は、実施の形態３による一心双方向光波長多重伝送システムの構成を示す図である。
本実施の形態は、波長多重端局１０ａ及び波長多重端局１０ｂに光増幅器が存在しないのを特徴とする。
なお、その他の構成については形態１と同様である。また、中継局２０ａは伝送路３０中に複数あっても、なくてもよい。
この実施の形態３においては、動作は実施の形態１との場合と同様である。
【００３２】
したがって、このように光増幅器が存在しないシステム構成においても、実施の形態１と同様の効果をあげることができる。
【００３３】
実施の形態４．
図４は、実施の形態４による一心双方向光波長多重伝送システムの構成を示す図である。
本実施の形態では、上り信号波長帯域用の監視制御信号１ｃ及び下り信号波長帯域用の監視制御信号１ｄが存在し、ＷＤＭカプラ９３ａ、ＷＤＭカプラ９３ｂ、ＷＤＭカプラ９４ａ、ＷＤＭカプラ９４ｂが存在し、波長多重端局１０ｂに光増幅器が存在しないのを特徴とする。監視制御信号１ｃ及び監視制御信号１ｄは、制御信号の一例である。
なお、その他の構成については形態２と同様である。中継局２０ａは伝送路３０中に複数あっても、なくてもよい。
この実施の形態４においては、動作は実施の形態２との場合と原則的には同様である。
ただし、ＷＤＭカプラ９３ａによって、監視制御信号１ｃと上り波長多重信号１ａとを合波し、ＷＤＭカプラ９３ｂによって、監視制御信号１ｃと上り波長多重信号１ａとを分波する動作が付加されている。また、ＷＤＭカプラ９４ｂによって、監視制御信号１ｄと下り波長多重信号１ｂとを合波し、ＷＤＭカプラ９４ａによって、監視制御信号１ｄと下り波長多重信号１ｂとを分波する動作が付加されている。
したがって、方向性結合器５０ａは、ＷＤＭカプラ９３ａによって合波された監視制御信号１ｃと上り波長多重信号１ａとを入力し、伝送路３０に出力する。
方向性結合器５０ｂは、監視制御信号１ｃと上り波長多重信号１ａとを入力するが、下り波長多重信号１ｂの反射光が存在するならば、下り波長多重信号１ｂをも入力し、上り方向に流れる光信号のみを分波して、出力する。
出力された光信号はＷＤＭカプラ９３ｂによって、監視制御信号１ｃと上り波長多重信号１ａとに分波され、さらに、光フィルタ８０ｂによって上り波長多重信号１ａを透過し、下り波長多重信号１ｂを遮断する。
【００３４】
上記の動作によって、監視制御信号１ｃ及び監視制御信号１ｄが存在するようなシステム構成においても、実施の形態１と同様の効果をあげることができる。
【００３５】
実施の形態５．
図５は、実施の形態５による一心双方向光波長多重伝送システムの構成を示す図である。
本実施の形態では、方向性結合器のかわりにＷＤＭカプラを使用していることを特徴とする。
各ＷＤＭカプラは、上り波長多重信号１ａと、下り波長多重信号１ｂを合波又は合分波する機能を有する。
その他の構成については形態１と同様である。
中継局２０ａは伝送路３０、伝送路３１中に複数あっても、なくてもよい。また、実施の形態３と同様に、波長多重端局１０ａ及び波長多重端局１０ｂに光増幅器をそなえていても、いなくてもよい。
【００３６】
この実施の形態５においては、実施の形態１で示した方向性結合器と同様の機能をＷＤＭカプラが果たす。したがって、動作は実施の形態１の場合と同様である。
よって、このようなシステム構成においても、実施例１と同様の効果をあげることができる。
【００３７】
実施の形態６．
図６は、実施の形態６による一心双方向光波長多重伝送システムの構成を示す図である。
本実施の形態は、実施の形態４と同様に監視制御光を主信号と同様に伝送していること、方向性結合器のかわりに実施の形態５と同様にＷＤＭカプラを使用していることを特徴とする。
その他の構成については実施の形態２と同様である。
中継局２０ａは伝送路３０、伝送路３１中に複数あっても、なくてもよい。
【００３８】
この実施の形態６においては、動作は実施の形態２の場合と基本的には同様である。
したがって、このようなシステム構成においても、実施の形態２と同様に、波長多重端局１０ａ及び波長多重端局１０ｂと中継局２０ａの情報を上位にあげたり、逆に上位から各局への制御などを行うための監視制御光を伝送中の反射点による影響は、監視制御光においても主信号と同様であるため、実施の形態１の場合と同様の効果を挙げることができる。
【００３９】
実施の形態７．
図７は、実施の形態７による一心双方向光波長多重伝送システムの構成を示す図である。
本実施の形態は、伝送路がリング型であることを特徴とする。
リング型の一心双方向光波長多重伝送システムでは、リング３２ａからリング３２ｃでつながれたノード間で通信を行うことができる。１０ｃはマスタノード、２１ａ、２１ｂ、２１ｃは、スレーブノードを示す。
図８にスレーブノードの構成図の例を示す。スレーブノードには、５６ａ、５６ｂのように特定の波長だけを合分波できる光アド・ドロップモジュールが設置されていることを特徴とし、その他は、実施の形態２の中継局２０ａで示した構成と同様である。
この光アド・ドロップモジュールは複数台あってもよい。また、光増幅器４２、光増幅器４３、ＷＤＭカプラ９５、ＷＤＭカプラ９６、ＷＤＭカプラ９７、ＷＤＭカプラ９８はなくてもよい。また、方向性結合器５１、方向性結合器５２のかわりに、ＷＤＭカプラ５４、ＷＤＭカプラ５５を使用してもよい。
このようなリング型の一心双方向光波長多重伝送システムにおいても、右回り信号波長帯域と左回り信号波長帯域に、それぞれ上り波長多重信号１ａと下り波長多重信号１ｂを割り当てる。同様に、右回り監視制御光と左回り監視制御光は上り監視制御信号１ｃと下り監視制御信号１ｄを割り当てる。その他の構成については形態１と同様である。
スレーブノード２１ａ、スレーブノード２１ｂ、スレーブノード２１ｃは、伝送路中に複数あっても、なくてもよい。
【００４０】
この実施の形態７においては、基本的動作は実施の形態２の場合と同様である。
したがって、このようなリング型システム構成においても、実施例１と同様の効果をあげることができる。
【００４１】
実施の形態８．
図９は、実施の形態８による一心双方向光波長多重伝送システムの構成を示す図である。
本実施の形態は、ラマン増幅器をそなえていることを特徴とする。
４４ｂは、ラマン増幅用の励起光源を備えたラマン増幅器であり、複数台あってもよい。
１ｅはラマン増幅器４４ｂのラマン増幅用励起光源から出力された励起光（レーザ光）である。
また、８７ｂは、ラマン増幅用励起光（励起光）と上り波長多重信号１ａとを合波するＷＤＭカプラである。ＷＤＭカプラ８７ｂは、合波器の一例である。
８０ｂはラマン増幅用励起光源を遮断することを特徴とし、かつ実施の形態１で示した光フィルタと同等の性能（上り波長多重信号１ａを透過し、下り波長多重信号１ｂを遮断する）を持つ光フィルタである。
光増幅器４０ｂ、光増幅器４１ｂはなくてもよい。また方向性結合器５０ｂは、ＷＤＭカプラでもよい。
この実施の形態８においては、動作は実施の形態２の場合と同様である。
【００４２】
以上、ラマン増幅器４４ｂとラマン増幅に使用する励起光源の波長帯域をカットする光フィルタ８０ｂとを備えた一心双方向光波長多重伝送システムについて説明した。
【００４３】
本実施の形態の一心双方向光波長多重伝送システムによれば、ラマン増幅器４４ｂを用いた一心双方向光波長多重伝送システムにおいて、励起光１ｅの反射の対向側への漏れこみに対しても、実施の形態８の方式をとることにより、雑音をおさえ、実施の形態１と同様の効果をあげることができる。
すなわち、ラマン増幅における励起光の反射点による反射光も、励起光源の波長帯域をカットする光フィルタ８０ｂを挿入することで抑えることができる。したがって、光断検出の警報監視においても、従来例に示したような、各波長ごとに必要になる光断検出重畳回路や光断検出信号検出回路を必要とせずに、光断検出器のみによって、光断検出をすることができる。
【００４４】
以上、すべての実施の形態において、対向する波長多重信号光を光ファイバに結合するための方向性結合器は、それと同等の効果をもつフィルタにおきかえることが可能である。
【００４５】
図１０は、伝送装置のコンピュータ基本構成図である。
図１０において、プログラムを実行するＣＰＵ（Ｃｅｎｔｒａｌ　Ｐｒｏｃｅｓｓｉｎｇ　Ｕｎｉｔ）４０は、バス３８を介してモニタ４１、キーボード４５、マウス４８、通信ボード４４、磁気ディスク装置４６等と接続されている。
磁気ディスク装置４６には、オペレーティングシステム（ＯＳ）４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４０、ＯＳ４７により実行される。
上記各実施の形態では、通信ボード４４の機能を使用して、光伝送路を経由して通信する。
【００４６】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムをプログラムを記録したコンピュータ読み取り可能な記録媒体に記憶させることで、プログラムに記録したコンピュータ読取り可能な記録媒体の実施の形態とすることができる。
【００４７】
プログラムの実施の形態及びプログラムに記録したコンピュータ読取り可能な記録媒体の実施の形態は、すべてコンピュータで動作可能なプログラムにより構成することができる。
プログラムの実施の形態およびプログラムを記録したコンピュータ読取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウエアやプログラムは、ＲＯＭ（ＲＥＡＤ　ＯＮＬＹ　ＭＥＭＯＲＹ）に記憶されたファームウエアで実現されていても構わない。あるいは、ソフトウエアとファームウエアとハードウエアとの組み合わせで前述したプログラムの各機能を実現しても構わない。
【００４８】
【発明の効果】
伝送路中もしくはコネクタ端の反射における信号の廻りこみが与える影響を、上りの波長多重光信号と下りの波長多重光信号の波長帯域にあった光フィルタを挿入することにより、安価であって、かつ、回路規模を小さく抑えた伝送装置により光断検出を実現することができる。
【００４９】
また、多重反射の影響や、受信器への信号光の漏れこみの影響を防ぐことで、受信器に与える雑音を低減し、伝送品質の高い波長多重伝送の実現を可能とする。
【００５０】
また、方向性結合器または光フィルタまたはカプラのいずれかにより光信号を分波することができる。
【００５１】
また、ラマン増幅に使用する励起光源の波長帯域をカットする光フィルタを挿入することにより、安価であって、かつ、回路規模を小さく抑えた伝送装置により光断検出を実現することができる。
【００５２】
また、上りの波長多重光信号と下りの波長多重光信号の波長帯域にあった光フィルタを挿入することにより、安価であって、かつ、回路規模を小さく抑えた伝送システムを構築することができる。
【図面の簡単な説明】
【図１】この発明の実施の形態１による一心双方向光波長多重伝送システムを示す構成図である。
【図２】この発明の実施の形態２による一心双方向光波長多重伝送システムを示す構成図である。
【図３】この発明の実施の形態３による一心双方向光波長多重伝送システムを示す構成図である。
【図４】この発明の実施の形態４による一心双方向光波長多重伝送システムを示す構成図である。
【図５】この発明の実施の形態５による一心双方向光波長多重伝送システムを示す構成図である。
【図６】この発明の実施の形態６による一心双方向光波長多重伝送システムを示す構成図である。
【図７】この発明の実施の形態７による一心双方向光波長多重伝送システムを示す構成図である。
【図８】この発明の実施の形態７による一心双方向光波長多重伝送システムを示す構成図である。
【図９】この発明の実施の形態８による一心双方向光波長多重伝送システムを示す構成図である。
【図１０】伝送装置のコンピュータ基本構成図である。
【図１１】従来の一心双方向光波長多重伝送システムを示す構成図である。
【図１２】従来の一心双方向光波長多重伝送システムを示す構成図である。
【図１３】従来の一心双方向光波長多重伝送システムを示す構成図である。
【符号の説明】
１ａ　上り波長多重信号、１ｂ　下り波長多重信号、１ｃ　上り監視制御信号、１ｄ　下り監視制御信号、１０ａ，１０ｂ　波長多重端局、１０ｃ　マスターノード、２０ａ　中継局、２１ａ，２１ｂ，２１ｃ　スレーブノード、３０，３１　伝送路、４０ａ，４０ｂ，４１ａ，４１ｂ，４２，４３　光増幅器、４４ａ，４４ｂ　ラマン増幅器、５０ａ，５０ｂ，５０ｃ，５０ｄ，５１，５２　方向性結合器、５３ｂ，５４，５５　ＷＤＭカプラ（上り信号波長帯域／下り信号波長帯域）、５６ａ，５６ｂ　光アド・ドロップモジュール、６０ａ，６０ｂ　光送信器、６０ｃ，６０ｄ　光送信回路、６１ａ，６１ｂ　光受信器、６１ｃ，６１ｄ　光受信回路、７０ａ，７０ｂ　合波器、７１ａ，７１ｂ　分波器、７２，７５　光断検出信号重畳回路、７３，７４　光断検出信号検出回路、８０ａ，８０ｂ，８２，８３　光フィルタ（上り波長多重信号透過光フィルタ）、８１ａ，８１ｂ，８４，８５　光フィルタ（下り波長多重信号透過光フィルタ）、８７ａ，８７ｂ　ＷＤＭカプラ（ラマン増幅用励起光）、９０ａ，９０ｂ，９１，９２光断検出器、９３ａ，９３ｂ，９５，９６　ＷＤＭカプラ（上り信号波長帯域用監視制御光）、９４ａ，９４ｂ，９７，９８　ＷＤＭカプラ（下り信号波長帯域用監視制御光）。
【図１】
2004007146.tif 000003
【図２】
2004007146.tif 000004
【図３】
2004007146.tif 000005
【図４】
2004007146.tif 000006
【図５】
2004007146.tif 000007
【図６】
2004007146.tif 000008
【図７】
2004007146.tif 000009
【図８】
2004007146.tif 000010
【図９】
2004007146.tif 000011
【図１０】
2004007146.tif 000012
【図１１】
2004007146.tif 000013
【図１２】
2004007146.tif 000014
【図１３】
2004007146.tif 000015